【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
シャーシ外装を構成するベース本体と蓋体と、
前記シャーシ外装のフロント面に形成されているディスクを直接挿入するディスク挿入口と、
前記ベース本体のフロント面側に配置されたトラバースベースと、
前記トラバースベースには、スピンドルモータとピックアップと前記ピックアップが移動するレールとを保持し、
前記トラバースベースの一端側に設けられた前記スピンドルモータと、
前記トラバースベースに移動可能に設けられた前記ピックアップと、
前記ピックアップをスタンバイ時には前記トラバースベースの他端側に配置するスロットイン型ディスク装置であって、
前記トラバースベースに設けられたピックストッパーと、
前記ピックストッパーは、前記トラバースベースが前記ベース本体側に移動している場合には前記ピックアップの移動を規制する位置に移動し、前記トラバースベースが前記蓋体側に移動している場合には前記ピックアップの移動を規制しない位置に移動することを特徴とするスロットイン型ディスク装置。
【請求項２】
前記ピックストッパーは一端を回動支点、他端を可動部として構成し、前記ピックアップを軸受け部によって前記レールに摺動自在に設け、前記可動部が前記軸受け部に当接する位置に移動することで前記ピックストッパーが前記ピックアップの移動を規制することを特徴とする請求項１に記載のスロットイン型ディスク装置。
【請求項３】
請求項２に記載のスロットイン型ディスク装置において、
移動可能なピックストッパーレバーを設け、前記ピックストッパーレバーの一端部が、前記ピックストッパーと前記ベース本体との間に移動することで、前記ピックストッパーの前記可動部を前記軸受け部に当接する位置に保持することを特徴とするスロットイン型ディスク装置。
【請求項４】
請求項３に記載のスロットイン型ディスク装置において、
前記トラバースベースと連動して移動するスライダーを設け、前記ピックストッパーレバーが前記スライダーによって移動することを特徴とするスロットイン型ディスク装置。
【手続補正２】
【補正対象書類名】明細書
【補正対象項目名】全文
【補正方法】変更
【補正の内容】
【発明の詳細な説明】
【発明の名称】スロットイン型ディスク装置
【技術分野】
【０００１】
本発明は、ＣＤやＤＶＤなどのディスク状の記録媒体への記録、または再生を行うディスク装置に関し、特に外部からディスクを直接挿入し、または直接排出できるスロットイン型ディスク装置に関する。
【背景技術】
【０００２】
従来のディスク装置は、トレイまたはターンテーブル上にディスクを載置し、このトレイやターンテーブルを装置本体内に装着するローディング方式が多く採用されているが、このようなローディング方式では、トレイやターンテーブルが必要な分、ディスク装置本体を薄型化するには限度があった。このため、最近では、ローディングモータによりレバー等でディスクを直接操作するスロットイン型ディスク装置が存在する（例えば特許文献１）。
【特許文献１】特開２００２−３５２４９８号公報
【発明の開示】
【発明が解決しようとする課題】
【０００３】
しかし、装置が薄型化されると、ディスクの挿入空間が狭くなり、例えばピックアップが所定の退避位置から移動してしまうと、挿入されるディスクによってピックアップが破損してしまうという問題も生じる。
【０００４】
そこで本発明は、ピックアップが所定の退避位置から移動しないスロットイン型ディスク装置を提供することを目的とする。
【課題を解決するための手段】
【０００５】
請求項１記載の本発明のスロットイン型ディスク装置は、シャーシ外装を構成するベース本体と蓋体と、前記シャーシ外装のフロント面に形成されているディスクを直接挿入するディスク挿入口と、前記ベース本体のフロント面側に配置されたトラバースベースと、
前記トラバースベースには、スピンドルモータとピックアップと前記ピックアップが移動するレールとを保持し、前記トラバースベースの一端側に設けられた前記スピンドルモータと、前記トラバースベースに移動可能に設けられた前記ピックアップと、前記ピックアップをスタンバイ時には前記トラバースベースの他端側に配置するスロットイン型ディスク装置であって、前記トラバースベースに設けられたピックストッパーと、前記ピックストッパーは、前記トラバースベースが前記ベース本体側に移動している場合には前記ピックアップの移動を規制する位置に移動し、前記トラバースベースが前記蓋体側に移動している場合には前記ピックアップの移動を規制しない位置に移動することを特徴とする。
請求項２記載の本発明は、請求項１に記載のスロットイン型ディスク装置において、前記ピックストッパーは一端を回動支点、他端を可動部として構成し、前記ピックアップを軸受け部によって前記レールに摺動自在に設け、前記可動部が前記軸受け部に当接する位置に移動することで前記ピックストッパーが前記ピックアップの移動を規制することを特徴とする。
請求項３記載の本発明のスロットイン型ディスク装置は、請求項２に記載のスロットイン型ディスク装置において、移動可能なピックストッパーレバーを設け、前記ピックストッパーレバーの一端部が、前記ピックストッパーと前記ベース本体との間に移動することで、前記ピックストッパーの前記可動部を前記軸受け部に当接する位置に保持することを特徴とする。
請求項４記載の本発明のスロットイン型ディスク装置は、請求項３に記載のスロットイン型ディスク装置において、前記トラバースベースと連動して移動するスライダーを設け、前記ピックストッパーレバーが前記スライダーによって移動することを特徴とする。
【発明の効果】
【０００６】
本発明によれば、例えば衝撃などが作用しても、ピックアップが退避位置から大きく移動することを防止することができる。
【発明を実施するための最良の形態】
【０００７】
本発明の第１の実施の形態によるスロットイン型ディスク装置は、トラバースベースに設けられたピックストッパーと、ピックストッパーは、トラバースベースがベース本体側に移動している場合にはピックアップの移動を規制する位置に移動し、トラバースベースが蓋体側に移動している場合にはピックアップの移動を規制しない位置に移動するものである。本実施の形態によれば、ピックアップの移動を規制するピックストッパーを設けることで、例えば衝撃などが作用しても、ピックアップが退避位置から大きく移動することを防止することができる。
本発明の第２の実施の形態は、第１の実施の形態によるスロットイン型ディスク装置において、ピックストッパーは一端を回動支点、他端を可動部として構成し、ピックアップを軸受け部によってレールに摺動自在に設け、可動部が軸受け部に当接する位置に移動することでピックストッパーがピックアップの移動を規制するものである。本実施の形態によれば、ピックストッパーの可動部と軸受け部とによってピックアップの移動を規制することで、ピックアップを損傷することなく所定の位置にピックアップを保持することができる。
本発明の第３の実施の形態によるスロットイン型ディスク装置は、第２の実施の形態によるスロットイン型ディスク装置において、移動可能なピックストッパーレバーを設け、ピックストッパーレバーの一端部が、ピックストッパーとベース本体との間に移動することで、ピックストッパーの可動部を軸受け部に当接する位置に保持するものである。本実施の形態によれば、ピックストッパーレバーをピックストッパーとベース本体の間に介在させることで、トラバースベースの変位量が小さくても確実にピックアップの移動を規制することができる。
本発明の第４の実施の形態によるスロットイン型ディスク装置は、第３の実施の形態によるスロットイン型ディスク装置において、トラバースベースと連動して移動するスライダーを設け、ピックストッパーレバーがスライダーによって移動するものである。本実施の形態によれば、トラバースベースと連動して移動するスライダーによってピックストッパーレバーを移動させるため、確実な動作を行わせることができる。
【実施例】
【０００８】
以下本発明の一実施例によるディスク装置について説明する。
図１は本実施例によるディスク装置のスタンバイ状態を示すベース本体の平面図、図２は同ディスク装置の要部平面図、図３は同装置の要部側面図、図４は同ディスク装置のディスク再生状態を示すベース本体の平面図、図５は同ディスク装置の要部平面図、図６は同装置の要部側面図である。
本実施例によるディスク装置は、ベース本体と蓋体とからシャーシ外装が構成され、このシャーシ外装のフロント面にベゼルが装着される。また本実施例によるディスク装置は、ベゼルに設けたディスク挿入口からディスクを直接挿入するスロットイン型ディスク装置である。
図１に示すように、ディスクへの記録再生機能やディスクのローディング機能を行う各部品は、ベース本体１０に装着される。
ベース本体１０は、深底部１０Ａと浅底部１０Ｂが形成され、浅底部１０Ｂによってフロント面からリア面に至るウイング部が形成されている。
ベース本体１０のフロント側にはディスクを直接挿入するディスク挿入口１１を形成し、ベース本体１０のリア面の端部にはコネクタ１２を配設している。ベース本体１０のディスク挿入口１１側にはトラバースベース３０が配置され、ベース本体１０のコネクタ１２側にはリアベース１３が配置されている。トラバースベース３０とリアベース１３とは互いが重ならないように配置されている。リアベース１３のベース本体１０面側にはプリント基板１４が設けられている。
【０００９】
トラバース３０は、スピンドルモータ３１とピックアップ３２とピックアップ３２を移動させる駆動手段とを保持している。スピンドルモータ３１はトラバース３０の一端側に設けられ、ピックアップ３２はトラバース３０の一端側から他端側までを移動可能に設けられている。またピックアップ３２はスタンバイ時にはトラバース３０の他端側に配置される。駆動手段は、駆動モータ３３Ａと、ピックアップ３２を摺動させる一対のレール３３Ｂと、駆動モータ３３Ａの駆動をピックアップ３２に伝達する歯車機構とを有し、一対のレール３３Ｂはトラバース３０の一端側と他端側とを連接するように両側部に配置されている。駆動モータ３３Ａはディスク挿入口１１側のレール３３Ｂの外方に、駆動軸がレール３３Ｂと平行になるように配置されている。歯車機構は、この駆動モータ３３Ａとディスク挿入口１１側のレール３３Ｂとの間の空間に配置されている。ピックアップ３２は、軸受け部３０Ｘによってレール３３Ｂに摺動自在に設けている。
【００１０】
トラバース３０において、スピンドルモータ３１がベース本体１０の中央部に位置し、またピックアップ３２の往復動範囲がスピンドルモータ３１よりもディスク挿入口１１側に位置し、またピックアップ３２の往復移動方向がディスクの挿入方向と異なるように配設されている。ここで、ピックアップ３２の往復移動方向とディスクの挿入方向とは、３５〜５５度の角度としている。
トラバースベース３０は、一対のインシュレータ３４Ａ、３４Ｂによってベース本体１０に支持されている。
一対のインシュレータ３４Ａ、３４Ｂは、スピンドルモータ３１の位置よりもピックアップ３２の静止位置側に配設している。本実施例では、インシュレータ３４Ａはディスク挿入口１１の内側近傍の一端側に、インシュレータ３４Ｂはディスク挿入口１１の内側近傍の中央部に設けている。インシュレータ３４Ａ、３４Ｂは、弾性材料からなるダンパー機構を備えている。トラバースベース３０は、インシュレータ３４Ａ、３４Ｂを支点として、スピンドルモータ３１側をベース本体１０と近接離間させるように動作する。
【００１１】
以下に、カム機構を備えたメインスライダー４０とサブスライダー５０について説明する。トラバースベース３０を変位させるカム機構は、メインスライダー４０とサブスライダー５０にそれぞれ設けている。ここで、メインスライダー４０とサブスライダー５０とは、スピンドルモータ３１の側方に位置するように配設されている。メインスライダー４０は、その一端がシャーシ本体１０のフロント面側、その他端がシャーシ本体１０のリア面側となる方向に配設されている。また、サブスライダー５０は、トラバースベース３０とリアベース１３との間に、メインスライダー４０と直交する方向に配設されている。
トラバースベース３０を変位させるカム機構は、第１のカム機構４１と第２のカム機構５１によって構成される。第１のカム機構４１は、メインスライダー４０のスピンドルモータ３１側の面に、第２のカム機構５１は、サブスライダー５０のスピンドルモータ３１側の面にそれぞれ設けられている。
なお、メインスライダー４０とトラバースベース３０との間にはベース部材１５が設けられ、サブスライダー５０とトラバースベース３０との間にはベース部材１６が設けられている。ここでベース部材１５とベース部材１６はベース本体１０に固定され、ベース部材１５に設けた縦溝によってトラバースベース３０のカムピンを位置規制し、ベース部材１６に設けた縦溝によってトラバースベース３０のカムピンを位置規制している。
【００１２】
ここで、ベース部材１６とサブスライダー５０とは、第３のカム機構（図示せず）によって連結している。そしてこの第３のカム機構は、第２のカム機構５１によってトラバースベース３０をベース本体１０に対して離間する方向に移動させる時に、サブスライダー５０をベース本体１０に対して離間する方向に移動させる機能を備えている。
【００１３】
メインスライダー４０の一端側にはローディングモータ６０が配設されている。ローディングモータ６０の駆動軸とメインスライダー４０の一端側とは歯車機構を介して連結されている。
このローディングモータ６０の駆動によってメインスライダー４０を長手方向に摺動させることができる。またメインスライダー４０は、カムレバー７０によってサブスライダー５０と連結している。
カムレバー７０は、回動支点７１、ピン７２、ピン７３、及びピン７４を有している。ピン７２、７３はメインスライダー４０の上面に設けたカム溝と係合し、ピン７４でサブスライダー５０の上面に設けたカム溝と係合し、カムレバー７０は、回動支点７１を軸として回動する。
【００１４】
以上説明した、コネクタ１２、トラバースベース３０、リアベース１３、プリント基板１４、インシュレータ３４Ａ、３４Ｂ、メインスライダー４０、サブスライダー５０、及びローディングモータ６０は、ベース本体１０の深底部１０Ａに設けられ、これらの部材と蓋体との間に、ディスク挿入空間を形成する。
【００１５】
次に、ディスクを挿入するときにディスクを支持するガイド部材と、ディスクを挿入するときに動作するレバー部材について説明する。
深底部１０Ａのディスク挿入口１１近傍の一端側には、所定長さの第１のディスクガイド１７が設けられている。この第１のディスクガイド１７は、ディスク挿入側から見た断面が、「コ」の字状の溝を有している。この溝によってディスクは支持される。
一方、ディスク挿入口１１側の浅底部１０Ｂには、引き込みレバー８０が設けられ、この引き込みレバー８０の可動側端部に第２のディスクガイド８１を備えている。第２のディスクガイド８１は、円筒状のローラで構成され、引き込みレバー８０の可動側端部に回動自在に設けられている。また、第２のディスクガイド８１のローラ外周には溝が形成され、この溝によってディスクは支持される。
引き込みレバー８０は、可動側端部が固定側端部よりもディスク挿入口１１側で動作するように配置され、固定側端部に回動支点を有している。
【００１６】
引き込みレバー８０は、サブレバー９０によって動作する。
サブレバー９０は、可動側の一端に凸部を備え、他端側に回動支点９２を備えている。サブレバー９０の凸部は、引き込みレバー８０の長溝内を摺動する。また、サブレバー９０の回動支点９２は、メインスライダー４０上に位置している。なお、回動支点９２は、メインスライダー４０とは連動せず、リアベース１３に固定されている。またサブレバー９０の回動支点９２よりも凸部側の下面には、ピン９３を備えている。このピン９３は、メインスライダー４０の上面に設けられたカム溝内を摺動する。従って、サブレバー９０は、メインスライダー４０の移動にともなって角度が変更され、このサブレバー９０の角度の変更によって引き込みレバー８０の旋回角度を変更する。すなわち、サブレバー９０の動作によって、引き込みレバー８０の第２のディスクガイド８１がスピンドルモータ３１に近接離間するように動作する。
【００１７】
ベース本体１０の引き込みレバー８０と異なる側部には、排出レバーが設けられるがここでは説明を省略する。なお、排出レバーは、リンクアーム１０５と排出スライダー１０６を介してメインスライダー４０の動きと連動する。ここでリンクアーム１０５は、軸１０５Ａによってリアベース１３に回動自在に設けられ、その一端側はピン１０５Ｂを介してメインスライダー４０と連接し、その他端側はピン１０５Ｃによって排出スライダー１０６と連接している。排出レバーはカムピンによって排出スライダー１０６のカム溝と係合している。
【００１８】
リアベース１３のリア面側には規制レバー１１０が設けられている。この規制レバー１１０は、リア面側端部を回動支点１１１とし、可動側端部にガイド１１２を備えている。この規制レバー１１０は、弾性体によってガイド１１２側が常にフロント側に突出するように付勢されている。また、この規制レバー１１０は所定位置でリミットスイッチを動作させる。すなわち、ディスクが所定位置まで挿入されると、リミットスイッチがオフし、ローディングモータ６０を駆動する。このローディングモータ６０の駆動によって、メインスライダー４０が摺動する。
また、ベース本体１０のフロント側には、フロントガイダー２１が設けられている。フロントガイダー２１は、ディスク挿入口１１の一端側であって、引き込みレバー８０とディスク挿入口１１との間に配置されている。またこのフロントガイダー２１は、ローディングモータ６０や歯車機構、メインスライダー４０の一部を覆うように、これらの部材よりも蓋体側に設けられている。
【００１９】
以下にカムレバーの動作について説明する。
ピン７３がメインスライダー４０のカム溝と係合している間は、カムレバー７０は回動しない。この状態はスタンバイ状態である。ディスクがローディングされた後にもしばらくはこの状態であり、トラバースベース３０はベース本体１０に近接した状態にある。
ディスクの中心がスピンドルモータ３１の上方に位置したタイミングで、ピン７３はメインスライダー４０のカム溝から外れ、カムレバー７０は回動を始める。
メインスライダー４０に設けられた、第１のカム機構４１は、メインスライダー４０と同一の方向に移動する。メインスライダー４０は、カムレバー７０のピン７２が摺動する溝を有し、カムレバー７０の回動によって、サブスライダー５０を移動させ、サブスライダー５０を移動させることによって第２のカム機構５１を動作させる。
すなわち、メインスライダー４０の移動によって、第１のカム機構４１は、所定の距離だけ移動し、カムレバー７０の回動によって、及び第２のカム機構５１は、所定距離だけ移動して、トラバースベース３０が変位動作する。
そしてチャッキング動作が終了した段階で、カムレバー７０の回動は終了する。
【００２０】
以下にピックアップ３２の移動を規制する構成について説明する。
特に図２及び図３に示すように、ピックストッパー１は、一端を回動支点１Ａ、他端を可動部１Ｂとして構成し、トラバースベース３０の側部に設けている。ピックストッパーレバー２は、軸２Ａを中心に回動自在に設けられ、ピックストッパーレバー２の一端部２Ｂを、ピックストッパー１とベース本体１０との間に配置することができる。
図１から図３に示すディスク装置のスタンバイ状態では、ピックストッパーレバー２は、時計方向に弾性体によって付勢されることで、一端部２Ｂが、ピックストッパー１とベース本体１０との間に配置している。
このように、ピックストッパーレバー２の一端部２Ｂが、ピックストッパー１とベース本体１０との間に配置することで、ピックストッパー１の可動部１Ｂは、ベース本体１０から所定間隔を保持した状態となる。従って、ピックアップ３２が外部からの衝撃などで移動すると、軸受け部３０Ｘが可動部１Ｂに当接する。すなわち、軸受け部３０Ｘが可動部１Ｂに当接することで、ピックアップ３２の移動を規制することができる。
【００２１】
次に、図４から図６を用いてピックアップの移動を規制しない状態について説明する。
上記のチャッキング動作によってディスク装置はディスク再生状態となる。この時、排出スライダー１０６は、リンクアーム１０５によってメインスライダー４０の動きと連動し、ディスク挿入口１１側に移動する。
排出スライダー１０６は、ディスク挿入口１１側に移動することで、ピックストッパーレバー２の他端部２Ｃを押圧する。
従って、ピックストッパーレバー２は、軸２Ａを中心に反時計方向に回動し、ピックストッパーレバー２の一端部２Ｂは、ピックストッパー１の可動部１Ｂから離間する。
この状態では、特に図６に示すように、ピックストッパー１の可動部１Ｂは、ベース本体１０に接する位置まで移動する。従って、ピックアップ３２が移動しても、軸受け部３０Ｘが可動部１Ｂに当接することはなく、ピックアップ３２は、ピックストッパー１によって移動を規制されない。
【００２２】
本実施例によれば、ピックアップ３２の移動を規制するピックストッパー１を設けることで、例えば衝撃などが作用しても、ピックアップ３２が退避位置から大きく移動することを防止することができる。
特に本実施例のように、ピックストッパー１の可動部１Ｂと軸受け部３０Ｘとによってピックアップ３２の移動を規制することで、ピックアップ３２を損傷することなく所定の位置にピックアップ３２を保持することができる。
また本実施例によれば、移動可能なピックストッパーレバー２を設け、ピックストッパーレバー２の一端部２Ｂが、ピックストッパー１とベース本体１０との間に移動することで、ピックストッパー１の可動部１Ｂを軸受け部３０Ｘに当接する位置に保持し、トラバースベース３０の変位量が小さくても確実にピックアップ３２の移動を規制することができる。
更に本実施例のように、トラバースベース３０と連動して移動する排出スライダー１０６を設け、ピックストッパーレバー２を排出スライダー１０６によって移動させることで、確実な動作を行わせることができる。
【産業上の利用可能性】
【００２３】
本発明は、ＣＤ、ＤＶＤ等のディスク状記録媒体の記録または再生を行うディスク装置において、特に家庭用映像機器やコンピュータの周辺装置として用いられる薄型化の必要なディスク装置に利用できる。 
【図面の簡単な説明】
【００２４】
【図１】本発明の一実施例によるディスク装置のスタンバイ状態を示すベース本体の平面図
【図２】同ディスク装置の要部平面図
【図３】同装置の要部側面図
【図４】同ディスク装置のディスク再生状態を示すベース本体の平面図
【図５】同ディスク装置の要部平面図
【図６】同装置の要部側面図
【符号の説明】
【００２５】
１    ピックストッパー
１Ａ  回動支点
１Ｂ  可動部
２    ピックストッパーレバー
２Ａ  軸
２Ｂ  一端部
１０    ベース本体
１１    ディスク挿入口
３０    トラバースベース
３２    ピックアップ